(57)【特許請求の範囲】
【請求項１】
発信者端末から発信者の位置情報を含むプッシュデータを受信して該当する受信者端末に送信するプッシュデータ送受信部と、
前記受信者端末から前記プッシュデータの受信に対する応答信号を受信する受信確認部と、
前記応答信号が正常に受信されない場合、前記位置情報に対するＵＲＬを含む第１メッセージを生成するメッセージ生成部と、
前記生成された第１メッセージを前記受信者端末に送信するメッセージ送信部と、
を含む位置情報送信装置。
【請求項２】
前記プッシュデータは、さらに前記発信者の第２メッセージを含み、
前記第１メッセージは、前記第２メッセージをさらに含むことを特徴とする請求項１に記載の位置情報送信装置。
【請求項３】
前記第１メッセージは、ＭＭＳメッセージであることを特徴とする請求項１に記載の位置情報送信装置。
【請求項４】
前記メッセージ生成部は、
前記応答信号が予め設定された時間以内に受信されない場合、前記第１メッセージを生成することを特徴とする請求項１に記載の位置情報送信装置。
【請求項５】
前記第１メッセージは、
前記位置情報に対するウェブ接続ＵＲＬ、前記位置情報に対するＷＡＰ接続ＵＲＬ、及び前記プッシュデータを用いるアプリケーションのダウンロードＵＲＬのうち少なくとも一つを含むことを特徴とする請求項１に記載の位置情報送信装置。
【請求項６】
前記メッセージ生成部は、
前記受信者端末のＷＡＰ接続が確認されると、前記位置情報に対するＷＡＰ接続ＵＲＬを含む第１メッセージを生成することを特徴とする請求項１に記載の位置情報送信装置。
【請求項７】
前記メッセージ生成部は、
前記受信者端末のウェブ接続が確認されると、前記位置情報に対するウェブ接続ＵＲＬ、及び前記プッシュデータを用いるアプリケーションのダウンロードＵＲＬを含む第１メッセージを生成することを特徴とする請求項１に記載の位置情報送信装置。
【請求項８】
前記メッセージ生成部は、
予め設定された回数以上、前記受信者端末が前記プッシュデータを用いるアプリケーションを介して接続しない場合、前記第１メッセージを生成することを特徴とする請求項１に記載の位置情報送信装置。
【請求項９】
発信者端末から発信者の位置情報を含むプッシュデータを受信し、
該当する受信者端末に前記受信したプッシュデータを送信し、
前記受信者端末から前記プッシュデータの受信に対する応答信号を受信し、
前記応答信号が正常に受信されない場合、前記位置情報に対するＵＲＬを含む第１メッセージを生成し、
前記生成された第１メッセージを前記受信者端末に送信すること、
を含む位置情報送信方法。
【請求項１０】
前記プッシュデータは、さらに前記発信者の第２メッセージを含み、
前記第１メッセージは、前記第２メッセージをさらに含むことを特徴とする請求項９に記載の位置情報送信方法。
【請求項１１】
前記第１メッセージは、ＭＭＳメッセージであることを特徴とする請求項９に記載の位置情報送信方法。
【請求項１２】
前記第１メッセージを生成することは、
前記応答信号が予め設定された時間以内に受信されない場合、前記第１メッセージを生成することを特徴とする請求項９に記載の位置情報送信方法。
【請求項１３】
前記第１メッセージは、
前記位置情報に対するウェブ接続ＵＲＬ、前記位置情報に対するＷＡＰ接続ＵＲＬ、及び前記プッシュデータを用いるアプリケーションのダウンロードＵＲＬのうち少なくとも一つを含むことを特徴とする請求項９に記載の位置情報送信方法。
【請求項１４】
前記受信者端末のＷＡＰ接続が確認される場合、
前記第１メッセージを生成することは、
前記位置情報に対するＷＡＰ接続ＵＲＬを含む第１メッセージを生成することを特徴とする請求項９に記載の位置情報送信方法。
【請求項１５】
前記受信者端末のウェブ接続が確認される場合、
前記第１メッセージを生成することは、
前記位置情報に対するウェブ接続ＵＲＬ、及び前記プッシュデータを用いるアプリケーションのダウンロードＵＲＬを含む第１メッセージを生成することを特徴とする請求項９に記載の位置情報送信方法。
【請求項１６】
前記第１メッセージを生成することは、
予め設定された回数以上、前記受信者端末が前記プッシュデータを用いるアプリケーションを介して接続しない場合、前記第１メッセージを生成することを特徴とする請求項９に記載の位置情報送信方法。
【請求項１７】
請求項９から請求項１６のうちいずれか一項の記載に係る位置情報送信方法を実行するためのプログラムを記録したコンピュータで読み出し可能な記録媒体。
【発明の詳細な説明】
【技術分野】
【０００１】
本発明は、発信者が受信者にメッセージを送信する際に位置情報を付加して送信できる位置情報送信装置及びその方法に関する。
【背景技術】
【０００２】
近年、発信者が受信者にメッセージを送信する際、ＧＰＳ（Ｇｌｏｂａｌ  Ｐｏｓｉｔｉｏｎｉｎｇ  Ｓｙｓｔｅｍ）などのような位置情報を提供する多様な技術を用いて位置情報を付加して送信できる位置情報送信方法が開発される傾向にある。
【０００３】
このような位置情報送信方法の１つとして大韓民国公開特許公報第１０−２０１１−００５１７０２号（公開日２０１１年０５月１８日）の「ウェブ連動位置情報及び詳細情報ＭＭＳ送信サービス方法及びシステム」には、インターネットウェブブログ及び掲示物に特定場所に関する情報が提供される際、該当情報をＭＭＳ（Ｍｕｌｔｉｍｅｄｉａ  Ｍｅｓｓａｇｅ  Ｓｅｒｖｉｃｅ）メッセージを介して相手方の端末（以下、「受信者端末」という）に送信するために、発信ウェブの位置情報及び詳細情報を含むＭＭＳメッセージを受信者端末に送信することが記載されている。しかし、このような方法は、基本的に通信会社から別途料金が賦課されるＭＭＳを用いて位置情報を送信するため、ユーザが利用を避けるという問題点がある。
【先行技術文献】
【特許文献】
【０００４】
【特許文献１】大韓民国公開特許公報第１０−２０１１−００５１７０２号
【０００５】
一方、位置情報送信方法のうちＥメール（ｅ−ｍａｉｌ）を利用した位置情報の送信方法もまた開発されているが、Ｅメールの場合、即時性が低下するために実質的な使用率は低いという問題点を抱えている。
【０００６】
したがって、別途料金が発生せずに、即時性が保たれるプッシュデータ（ｐｕｓｈ  ｄａｔａ）を用いて位置情報を送信する方法が求められているが、発信者及び受信者が互いに異なる端末を用いる場合（例えばフィーチャーフォン、スマートフォンなど）、互いに異なるＯＳ（Ｏｐｅｒａｔｉｎｇ  Ｓｙｓｔｅｍ）（例えば、ＩＯＳ（登録商標）、アンドロイド（登録商標）など）を用いる場合、アプリケーションのインストール有無などによって実質的にすべてのユーザ端末に適用したメッセージ送信規約であるＭＭＳとＥメールによってのみ位置情報を添付したメッセージを送受信しているにすぎない実状にある。
【発明の概要】
【発明が解決しようとする課題】
【０００７】
本発明は、端末の種類、ＯＳの種類、及びアプリケーションのインストール有無などに関わらず、発信者のメッセージに位置情報を添付したプッシュデータを送信することのできる位置情報送信装置及びその方法を提供する。
【０００８】
また、本発明は、プッシュデータを受信できない端末の場合でも位置情報を送信することのできる位置情報送信装置及びその方法を提供する。
【課題を解決するための手段】
【０００９】
本発明の一実施形態によれば、位置情報送信装置は、発信者端末から発信者の位置情報を含むプッシュデータを受信して該当する受信者端末に送信するプッシュデータ送受信部と、前記受信者端末から前記プッシュデータの受信に対する応答信号を受信する受信確認部と、前記応答信号が正常に受信されない場合、前記位置情報に対するＵＲＬ（Ｕｎｉｆｏｒｍ  Ｒｅｓｏｕｒｃｅ  Ｌｏｃａｔｏｒ）を含む第１メッセージを生成するメッセージ生成部と、前記生成された第１メッセージを前記受信者端末に送信するメッセージ送信部とを含んでもよい。
【００１０】
また、前記メッセージ生成部は、前記応答信号が予め設定された時間以内に受信されない場合、前記第１メッセージを生成してもよい。
【００１１】
また、前記第１メッセージは、前記位置情報に対するウェブ（ｗｅｂ）接続ＵＲＬ、前記位置情報に対するＷＡＰ（Ｗｉｒｅｌｅｓｓ  Ａｐｐｌｉｃａｔｉｏｎ  Ｐｒｏｔｏｃｏｌ）接続ＵＲＬ、及び前記プッシュデータを用いるアプリケーションのダウンロードＵＲＬのうち少なくとも１つを含んでもよい。
【００１２】
また、前記メッセージ生成部は、前記受信者端末のＷＡＰ接続が確認されると、前記位置情報に対するＷＡＰ接続ＵＲＬを含む第１メッセージを生成してもよい。
【００１３】
また、前記メッセージ生成部は、前記受信者端末のウェブ接続が確認されると、前記位置情報に対するウェブ接続ＵＲＬ、及び前記プッシュデータを用いるアプリケーションのダウンロードＵＲＬを含む第１メッセージを生成してもよい。
【００１４】
また、前記メッセージ生成部は、予め設定された回数以上、前記受信者端末が前記プッシュデータを用いるアプリケーションを介して接続しない場合、前記第１メッセージを生成してもよい。
【００１５】
前記プッシュデータは、さらに前記発信者の第２メッセージを含み、前記第１メッセージは、前記第２メッセージをさらに含んでもよい。
また、前記第１メッセージは、ＭＭＳメッセージであってもよい。
【００１６】
また、本発明の一実施形態によれば、位置情報送信方法は、発信者端末から発信者の位置情報を含むプッシュデータを受信し、該当する受信者端末に前記受信したプッシュデータを送信し、前記受信者端末から前記プッシュデータの受信に対する応答信号を受信し、前記応答信号が正常に受信されない場合、前記位置情報に対するＵＲＬを含む第１メッセージを生成し、前記生成された第１メッセージを前記受信者端末に送信することを含んでもよい。
【発明の効果】
【００１７】
本発明によれば、受信者端末の仕様及びアプリケーションのインストール有無を把握して発信者のメッセージ、及び位置情報を含むプッシュデータを受信者端末に送信することによって受信者端末の種類、ＯＳの種類、及びアプリケーションのインストール有無などに関わらずプッシュデータを送信することが可能となる。
【００１８】
また、受信者端末がプッシュデータを受信できない端末の場合でもプッシュデータに対する応答信号に基づいて位置情報に対するＵＲＬを含むＭＭＳメッセージを送信することによって受信者端末に位置情報を送信することが可能となる。
【図面の簡単な説明】
【００１９】
【図１】本発明の一実施形態において、位置情報送信装置を示すブロック図である。
【図２】(ａ）本発明の一実施形態において、発信者端末でアプリケーションを用いてプッシュデータを生成する画面を示す例示図である。（ｂ）本発明の一実施形態において、受信者端末でプッシュデータを受信する場合に表示される画面を示す例示図である。
【図３】（ａ）本発明の一実施形態において、受信者端末でプッシュデータ受信時にアプリケーションを動作した場合に表示される画面を示す例示図である。（ｂ）本発明の一実施形態において、受信者端末でプッシュデータ受信時にアプリケーションを動作した場合に表示される画面を示す例示図である。
【図４】本発明の一実施形態において、ＭＭＳメッセージを示す例示図である。
【図５】本発明の一実施形態において、位置情報送信方法を示すフローチャートである。
【発明を実施するための形態】
【００２０】
以下、本発明の実施形態を図面を参照しながら詳細に説明する。
【００２１】
図１は、本発明の一実施形態において、位置情報送信装置を示すブロック図である。
【００２２】
図面を参照すれば、位置情報送信装置１００は、プッシュデータ送受信部１１０、プッシュデータデータベース１１５、受信確認部１２０、ＭＭＳメッセージ生成部１３０、及びＭＭＳメッセージ送信部１４０を含んでもよい。
【００２３】
プッシュデータ送受信部１１０は、発信者端末から発信者のメッセージ、及び位置情報を含むプッシュデータを受信して該当する受信者端末に送信する。
【００２４】
プッシュデータは、ユーザ端末に設けられるアプリケーションを介して生成されてもよい。アプリケーションは、位置情報送信装置１００で提供するウェブページを介してユーザ端末にダウンロードされてもよく、ＣＤ、ＤＶＤ、ＵＳＢメモリなどの所定の記録媒体に格納してユーザに提供されてもよい。
【００２５】
一方、プッシュデータ送受信部１１０は、発信者端末からプッシュデータを受信すると、プッシュデータをプッシュデータデータベース１１５に格納し、その後、受信者端末がプッシュデータを受信できない端末に該当する場合、ＭＭＳメッセージ生成部１３０がプッシュデータに含まれるメッセージ及び位置情報を用いてＭＭＳメッセージを生成できるようにする。プッシュデータデータベース１１５は、位置情報送信装置１００に含まれてもよいが、必要に応じてデータベースサーバの形態で別に実現されてもよい。
【００２６】
受信確認部１２０は、受信者端末からプッシュデータの受信に対する応答信号を受信してプッシュデータを受信者端末が確実に受信したことを確認する。換言すれば、プッシュデータ送受信部１１０から受信者端末にプッシュデータが送信されれば、受信者端末はアプリケーションを用いてプッシュデータ受信に対する応答信号を生成してこれを位置情報送信装置１００に送信し、発信者からのプッシュデータを正常に受信したことを知らせる。
【００２７】
しかし、受信確認部１２０は、プッシュデータ受信に対する応答信号を正常に受信できない場合、受信者端末がフィーチャーフォン（ｆｅａｔｕｒｅ  ｐｈｏｎｅ）か、アプリケーションがインストールされていないスマートフォン（ｓｍａｒｔ  ｐｈｏｎｅ）に該当してプッシュデータを受信できないものと判断し、これをＭＭＳメッセージ生成部１３０に知らせることによって、位置情報を受信者端末が受信できる形態で送信できるようにする。
【００２８】
ＭＭＳメッセージ生成部１３０は、プッシュデータ受信に対する応答信号が正常に受信されない場合、プッシュデータデータベース１１５に格納されたプッシュデータに基づいてメッセージ及び位置情報に対するＵＲＬを含むＭＭＳメッセージを生成する。
【００２９】
ＭＭＳメッセージ送信部１４０は、ＭＭＳメッセージ生成部１３０で生成されたＭＭＳメッセージを該当する受信者端末に送信する。
【００３０】
一例として、ＭＭＳメッセージ生成部１３０は、受信確認部１２０が予め設定された時間（例えば５分）以内にプッシュデータ受信に対する応答信号を受信できない場合、プッシュデータに含まれる発信者のメッセージ及び位置情報に基づいてＭＭＳメッセージを生成してもよい。
【００３１】
ＭＭＳメッセージは、発信者のメッセージ、位置情報に対するウェブ接続ＵＲＬ、位置情報に対するＷＡＰ接続ＵＲＬ、及びプッシュデータを用いるアプリケーションのダウンロードＵＲＬのうち少なくとも１つを含んでもよい。受信者は、ＭＭＳメッセージに含まれるＷＡＰ接続ＵＲＬを介してＷＡＰに接続することによって、位置情報を確認してもよく、ウェブ接続ＵＲＬを介してウェブに接続して位置情報を確認してもよい。また、アプリケーションダウンロードＵＲＬを介して受信者端末にアプリケーションをインストールしてもよい。
【００３２】
例えば、受信者端末がＷＡＰ接続ＵＲＬを介したＷＡＰ接続を行ったことが確認されれば、位置情報送信装置１００は、受信者端末をフィーチャーフォンと判断し、受信者端末へのプッシュデータを受信時のプッシュデータに含まれる発信者のメッセージ及び位置情報に基づいて発信者のメッセージ、及び位置情報に対するＷＡＰ接続ＵＲＬだけを含むＭＭＳメッセージを生成してもよい。
【００３３】
また、受信者端末がウェブ接続ＵＲＬを介したウェブ接続を行ったことが確認されれば、位置情報送信装置１００は、受信者端末をスマートフォンと判断し、受信者端末へのプッシュデータを受信時のプッシュデータに含まれる発信者のメッセージ及び位置情報に基づいて発信者のメッセージ、位置情報に対するウェブ接続ＵＲＬ、及びプッシュデータを用いるアプリケーションのダウンロードＵＲＬを含むＭＭＳメッセージを生成してもよい。
【００３４】
その後、受信者端末にアプリケーションのインストールが完了すれば、位置情報送信装置１００は、次期メッセージ送信時にプッシュデータだけを送信してもよい。
【００３５】
一方、１つの番号がスマートフォンで確認されたり、アプリケーションがインストールされたと確認されたとしても、最近ではユーザ端末の交換周期が徐々に早くなっており、移動体通信事業者の転換加入が発生することによって、ユーザ端末の仕様及びアプリケーションのインストールの有無が変動し得るため、位置情報送信装置１００は、予め設定された回数（例えば２回）以上受信者端末がアプリケーションを介して接続しない場合、再びＭＭＳメッセージ生成部１４０を介してＭＭＳメッセージを送信してもよい。
【００３６】
図１に示してはいないが、ユーザ端末は、ユーザが入力したメッセージ、及び位置情報を含むプッシュデータを生成するプッシュデータ生成モジュールと、サーバからプッシュデータを受信すると、これに対する応答信号をサーバに送信する受信確認モジュールと、プッシュデータに基づいてメッセージ及び位置情報を表示するディスプレイモジュールとを含んでもよい。
【００３７】
発信者は、このような機能を用いてプッシュメッセージを生成してもよい。しかし、便利さのためにＭＭＳメッセージ生成モジュールのメッセージ、及び位置情報に対するＵＲＬを含むＭＭＳメッセージを生成する機能を用いてプッシュデータ以外にＭＭＳメッセージを生成してもよい。
【００３８】
ここで、生成されるＭＭＳメッセージは、位置情報送信装置１００で生成されるＭＭＳメッセージと共に、発信者のメッセージ、位置情報に対するウェブ接続ＵＲＬ、位置情報に対するＷＡＰ接続ＵＲＬ、及びプッシュデータを用いるアプリケーションのダウンロードＵＲＬのうち少なくとも１つを含んでもよい。
【００３９】
以下、図２を参照しながら発信者端末で生成されるプッシュデータ及びプッシュデータが受信者端末で受信時に表示される画面を例に挙げて説明する。
【００４０】
図２（ａ）は、本発明の一実施形態において、発信者端末でアプリケーションを用いてプッシュデータを生成する画面を示す例示図であり、図２（ｂ）は、本発明の一実施形態において、受信者端末でプッシュデータを受信する場合に表示される画面を示す例示図である。
【００４１】
まず、図２（ａ）を参照すれば、発信者はユーザ端末にインストールされたアプリケーションを用いて示すもののように、テキスト入力インターフェースを介して受信者に送信しようとするメッセージを入力することによって、プッシュデータを生成してもよい。ここでプッシュデータに含まれる位置情報は、発信者が選択した地点に対する位置情報であってもよく、また、現在の発信者端末の位置に基づいて自動的に入力された位置情報であってもよい。
【００４２】
図２（ａ）に示すように、発信者のメッセージ及び位置情報が入力された後に送信ボタンが選択されると、受信者端末には図２（ｂ）のようなプッシュデータが送信される。受信者端末は、このようなプッシュデータを受信すると、位置情報送信装置１００に応答信号を送信することによって、正常にプッシュデータを受信したことを知らせてもよい。しかし、他の実施形態として、受信者端末は、ユーザが図２（ｂ）に示した確認ボタンを選択した場合、位置情報送信装置１００に応答信号を送信してもよい。
【００４３】
図３（ａ）及び図３（ｂ）は、本発明の一実施形態において、受信者端末からプッシュデータ受信したときにアプリケーションを動作した場合に表示される画面を示す例示図である。
【００４４】
図２（ｂ）に示した確認ボタンが選択されると、受信者端末の画面上には図３（ａ）のような画面が表示されてもよく、受信者によって図３（ａ）に示したメッセージまたは地図上の位置を選択すれば、図３（ｂ）のように該当位置に対する詳細情報が表示されてもよい。
【００４５】
図４は、本発明の一実施形態において、受信者端末がプッシュデータを受信できない場合に送信されるＭＭＳメッセージを示す例示図である。
【００４６】
一例として、ＭＭＳメッセージは、図に示すように発信者のメッセージと、位置情報に対するＷＡＰ接続ＵＲＬと、位置情報に対するウェブ接続ＵＲＬとアプリケーションのダウンロードＵＲＬとを含んでもよい。したがって、受信者は、受信者端末に表示されるＵＲＬを用いてＷＡＰ接続、ウェブ接続を介して発信者が送信した位置を確認してもよく、アプリケーションをダウンロードしてインストールしてもよい。その後、位置情報送信装置は、ユーザのＷＡＰ接続、ウェブ接続、及びアプリケーションダウンロードの有無を確認し、該当端末へのプッシュデータが受信される場合、適合した形態のＭＭＳメッセージを生成して送信してもよく、受信されたプッシュデータを送信してもよい。
【００４７】
図５は、本発明の一実施形態において、位置情報送信方法を示すフローチャートである。
【００４８】
位置情報送信装置は、まず発信者端末から発信者のメッセージ、及び位置情報を含むプッシュデータを受信する（Ｓ５１０）。そして、該当する受信者端末に受信したプッシュデータを送信する（Ｓ５２０）。
【００４９】
その後、予め設定された時間の間、受信者端末からプッシュデータの受信に対する応答信号の送信を待機し（Ｓ５３０）、応答信号が正常に受信されない場合、発信者のメッセージ及び位置情報に対するＵＲＬを含むＭＭＳメッセージを生成し（Ｓ５４０）、生成されたＭＭＳメッセージを該当する受信者端末に送信する（Ｓ５５０）。
【００５０】
ここで、ＭＭＳメッセージは、上述したように発信者のメッセージ、位置情報に対するウェブ接続ＵＲＬ、位置情報に対するＷＡＰ接続ＵＲＬ、及びプッシュデータを受信できるアプリケーションのダウンロードＵＲＬのうち少なくとも１つを含んでもよい。
【００５１】
その後、位置情報送信装置は、受信者端末のＷＡＰ接続が確認される場合には、発信者のメッセージ及び位置情報に対するＷＡＰ接続ＵＲＬだけを含むＭＭＳメッセージを生成して該当受信者端末に送信してもよい。
【００５２】
また、受信者端末のウェブ接続が確認される場合には、発信者のメッセージ、位置情報に対するウェブ接続ＵＲＬ、及びプッシュデータを用いるアプリケーションのダウンロードＵＲＬを含むＭＭＳメッセージを生成して該当受信者端末に送信してもよい。
【００５３】
一方、位置情報送信装置１００は、受信者端末の仕様及びアプリケーションのインストール有無の変動を考慮して、受信者端末がアプリケーションを介して予め設定された回数以上接続しない場合、再びＭＭＳメッセージを生成して該当受信者端末に送信してもよい。
【００５４】
したがって、本発明に係る位置情報送信方法は、このような方法によって受信者端末にアプリケーションのインストール有無を確認してユーザ端末の仕様を確認することによってユーザ端末の種類及びアプリケーションのインストール有無と関係がなくメッセージに位置情報を付加して送信してもよい。
【００５５】
本発明に係る位置情報送信方法は、様々なコンピュータ手段によって行うことができるプログラム命令形態で実現され、コンピュータ読み出し可能媒体に記録してもよい。前記記録媒体は、プログラム命令、データファイル、データ構造などを単独または組み合わせたものを含んでもよい。前記記録媒体及びプログラム命令は、本発明の目的のために特別に設計して構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置を含んでもよい。プログラム命令の例としては、コンパイラによって生成されるような機械語コードだけでなく、インタプリタなどを用いてコンピュータによって実行され得る高級言語コードを含む。上述のハードウェア装置は、本発明の動作を行うために１つ以上のソフトウェアモジュールとして作動するように構成してもよく、その逆も同様である。
【００５６】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００５７】
したがって、本発明の範囲は、開示された実施形態に限定されて定められるものではなく、特許請求の範囲及び特許請求の範囲と均等なものなどによって定められるものである。
【符号の説明】
【００５８】
１００：位置情報送信装置
１１０：プッシュデータ送受信部
１１５：プッシュデータデータベース
１２０：受信確認部
１３０：ＭＭＳメッセージ生成部
１４０：ＭＭＳメッセージ送信部
【図１】
0005635053.tif 000002
【図２】
0005635053.tif 000003
【図３】
0005635053.tif 000004
【図４】
0005635053.tif 000005
【図５】
0005635053.tif 000006